(57)【要約】【課題】コンパクトでありながら、水面のゆらぎ感を明るく鮮明に投影できる照明器具を提供する。【解決手段】受皿１の上方に光源４を設置すると共に、ポンプ５に繋がるノズル６を上向きに設け、ノズル６から吐出した水を光源４の周囲に拡散して流下させる透光性の傘体２と、この傘体２の外側に被せられて受皿１と共に密閉空間を形成する透光性のカバー３とを備え、流下した水を受皿１に溜め、ポンプ５に吸い込んで再びノズル６から吐出するように循環させる。光源４の光が、傘体２を介して、その周囲を流下する水及びカバー３を透過し、鏡面や水面で反射することなく、直接外部へ照射されるので、コンパクトでありながら、光源４の光を有効に利用して、水面のゆらぎ感を明るく鮮明に投影できる。【選択図】  図３
2004228037.tif 000002
【特許請求の範囲】
【請求項１】
受皿の上方に光源を設置すると共に、ポンプに繋がるノズルを上向きに設け、光源の外側に透光性のカバーを被せて、カバーと受皿とで密閉空間を形成し、ノズルから吐出した水をカバーの内側で光源の周囲に拡散して流下させ、流下した水を受皿に溜め、ポンプに吸い込んで再びノズルから吐出するように循環させる照明器具。
【請求項２】
前記光源とカバーの間に傘体を設け、前記ノズルから吐出した水がこの傘体で受け止められて、光源の周囲に拡散して流下するようにした請求項１に記載の照明器具。
【発明の詳細な説明】
【０００１】
【発明の属する技術分野】
この発明は、水面のゆらぎ感を演出する照明器具に関するものである。
【０００２】
【従来の技術】
例えば、下記特許文献１には、光源の光を、その下方に貯留した水中の鏡板で反射し、この鏡板を振動させて水面に波紋を生じさせ、水を透過した反射光を室内の壁面等に投影して、水面のゆらぎ感を演出する照明器具が記載されている。
【０００３】
また、下記特許文献２には、光源の光を、その下方に貯留した水の水面で反射し、モータ等で水面に波紋を生じさせ、水面からの反射光を室内の壁面等に投影して、水面のゆらぎ感を演出する照明器具が記載されている。
【０００４】
【特許文献１】
特開平５−２２５８０４号公報
【特許文献２】
特開平６−２１５６０１号公報
【０００５】
【発明が解決しようとする課題】
しかしながら、上記のような反射式の照明器具では、光源の光を反射する鏡面又は水面の面積を確保するため、外寸を大きなものとする必要があり、それでも光源からの照射光を有効に利用できず、投影できる水面の波紋が暗いものとなるという問題があった。
【０００６】
そこで、この発明は、コンパクトでありながら、水面のゆらぎ感を明るく鮮明に投影できる照明器具を提供することを課題とする。
【０００７】
【課題を解決するための手段】
上記課題を解決するため、この発明に係る照明器具は、受皿の上方に光源を設置すると共に、ポンプに繋がるノズルを上向きに設け、光源の外側に透光性のカバーを被せて、カバーと受皿とで密閉空間を形成し、ノズルから吐出した水をカバーの内側で光源の周囲に拡散して流下させ、流下した水を受皿に溜め、ポンプに吸い込んで再びノズルから吐出するように循環させることとしたのである。
【０００８】
このように構成すると、光源の光が、その周囲を流下する水及びカバーを透過して、直接外部へ照射されるので、反射のために外寸を大きく確保する必要がなく、光源の光を有効に利用して、水面のゆらぎ感を明るく鮮明に投影できる。
【０００９】
なお、前記光源とカバーの間に傘体を設け、前記ノズルから吐出した水がこの傘体で受け止められて、光源の周囲に拡散して流下するようにしてもよい。
【００１０】
【発明の実施の形態】
以下、この発明の実施形態を添付図面に基づいて説明する。
【００１１】
図１に示すように、この照明器具は、受皿１、傘体２及びカバー３を構成部材として備え、受皿１の上方には光源４が設置され、受皿１の底壁上に設置されたポンプ５には、上向きにノズル６が接続されている。
【００１２】
傘体２及びカバー３は、透明や乳白色などの透光性を有するプラスチックの成形体とされ、受皿１もまた透光性を有するものとされている。光源４及びポンプ５には、防水タイプのものが使用され、これらのスイッチ７が受皿１の外部に設けられている。
【００１３】
また、受皿１の上縁部から内側へ張り出した支持枠１ａには空隙部１ｂが形成されると共に、受皿１の内周面に沿ってパッキン８が嵌められている。傘体２の頂部には窪み部２ａが設けられ、その底部にはパッキン付きの挿通穴２ｂが形成されている。
【００１４】
そして、図２及び図３に示すように、傘体２は、挿通穴２ｂからノズル６の先端部が突き出すように光源４に被せられ、支持枠１ａの内側部に支持される。また、カバー３は、傘体２の外側に被せられ、支持枠１ａの外側部に支持されて、下縁外周部がパッキン８に密着し、受皿１と共に密閉空間を形成する。
【００１５】
上記照明器具では、光源４を点灯させてポンプ５を駆動すると、ノズル６の先端から吐出した水が傘体２に受け止められ、窪み部２ａに溜まって溢れ、光源４の周囲に拡散するように傘体２の表面及びカバー３の内面に沿って流下する。そして、空隙部１ｂを介して流下した水は受皿１に溜まり、ポンプ５に吸い込まれて、再びノズル６から吐出するように循環する。
【００１６】
このように構成すると、光源４の光が、傘体２を介して、その周囲を流下する水及びカバー３を透過し、鏡面や水面で反射することなく、直接外部へ照射されるので、コンパクトでありながら、光源の光を有効に利用して、水面のゆらぎ感を明るく鮮明に投影できるほか、水が流れる音を楽しむこともできる。
【００１７】
なお、傘体２を、ノズル６の外周に設けた小径のフランジ状のものとすれば、傘体２は必ずしも透光性を有する必要はなく、下方の照明が不要な場合には、受皿１もまた、透光性を有する必要はない。
【００１８】
【発明の効果】
以上説明したように、この発明に係る照明器具では、光源の光が、その周囲を流下する水及びカバーを透過して、直接外部へ照射されるので、コンパクトでありながら、光源の光を有効に利用して、水面のゆらぎ感を明るく鮮明に投影できるほか、水が流れる音を楽しむこともできる。また、傘体２を省略してもよい。
【図面の簡単な説明】
【図１】この発明に係る照明器具の分解斜視図
【図２】同上の組立状態の斜視図
【図３】同上の縦断面図
【符号の説明】
１  受皿
２  傘体
３  カバー
４  光源
５  ポンプ
６  ノズル
【図１】
2004228037.tif 000003
【図２】
2004228037.tif 000004
【図３】
2004228037.tif 000005
【手続補正書】
【提出日】平成15年1月28日(2003.1.28)
【手続補正１】
【補正対象書類名】明細書
【補正対象項目名】００１７
【補正方法】変更
【補正の内容】
【００１７】
なお、傘体２を、ノズル６の外周に設けた小径のフランジ状のものとすれば、傘体２は必ずしも透光性を有する必要はなく、下方の照明が不要な場合には、受皿１もまた、透光性を有する必要はない。また、傘体２を省略してもよい。
【手続補正２】
【補正対象書類名】明細書
【補正対象項目名】００１８
【補正方法】変更
【補正の内容】
【００１８】
【発明の効果】
以上説明したように、この発明に係る照明器具では、光源の光が、その周囲を流下する水及びカバーを透過して、直接外部へ照射されるので、コンパクトでありながら、光源の光を有効に利用して、水面のゆらぎ感を明るく鮮明に投影できるほか、水が流れる音を楽しむこともできる。